【手続補正書】
【提出日】平成22年11月5日(2010.11.5)
【手続補正１】
【補正対象書類名】特許請求の範囲
【補正対象項目名】全文
【補正方法】変更
【補正の内容】
【特許請求の範囲】
【請求項１】
１台以上のストレージ装置、および、前記１台以上のストレージ装置へデータのリード／ライトを行なう１台以上のホスト計算機を有する第１のサイトと、
１台以上のストレージ装置、および、前記１台以上のストレージ装置へデータのリード／ライトを行なう１台以上のホスト計算機からなる第２のサイトと、
前記第１のサイトのホスト計算機を管理する管理計算機と、を含み、
前記第１のサイトのストレージ装置から前記第２のサイトのストレージ装置に対して非同期リモートコピーを行うストレージシステムであって、
前記管理計算機は、
前記第１のサイトのストレージ装置のバッファに滞留しているデータに関し、最新あるいはそれに準ずるデータの識別情報を所定の時間間隔で時刻情報とともに蓄積しておき、
当該蓄積した情報と、所定時刻における、前記滞留している最古あるいはそれに準ずるデータの識別情報、および、前記滞留しているデータ数のうち少なくとも１つの情報と、に基づき、所定時刻を基準にして、前記第２のサイトのストレージ装置に記憶されたデータを用いて復旧することのできる時刻であるデータ復旧可能時刻の推定値を算出し、表示部に表示する
ことを特徴とするストレージシステム。
【請求項２】
前記管理計算機は、
前記所定時刻と前記データ復旧可能時刻との差分をデータ損失時間の推定値として算出し、前記表示部に表示することを特徴とする請求項１に記載のストレージシステム。
【請求項３】
前記所定の時間間隔は、
予めユーザによって設定された値であることを特徴とする請求項１または請求項２に記載のストレージシステム。
【請求項４】
前記管理計算機は、
前記第１のサイトのストレージ装置のバッファに滞留しているデータに関し、最新あるいはそれに準ずるデータの識別情報としてシーケンス番号を蓄積し、
当該蓄積した情報と、所定時刻における前記最古あるいはそれに準ずるデータのシーケンス番号とに基づいて、所定時刻を基準にして、前記データ復旧可能時刻の推定値を、前記最古あるいはそれに準ずるデータが前記バッファに格納された時刻を推定することで、算出し、前記表示部に表示する
ことを特徴とする請求項１から請求項３までのいずれか１項に記載のストレージシステム。
【請求項５】
前記管理計算機は、
所定時刻を基準にして、前記データ復旧可能時刻の推定値を、そのときの前記最古あるいはそれに準ずるデータが前記バッファに格納された時刻を推定することで、算出し、前記表示部に表示する
ことを特徴とする請求項１から請求項４までのいずれか１項に記載のストレージシステム。
【請求項６】
１台以上のストレージ装置、および、前記１台以上のストレージ装置へデータのリード／ライトを行なう１台以上のホスト計算機を有する第１のサイトと、
１台以上のストレージ装置、および、前記１台以上のストレージ装置へデータのリード／ライトを行なう１台以上のホスト計算機からなる第２のサイトと、
前記第１のサイトのホスト計算機を管理する管理計算機と、を含み、
前記第１のサイトのストレージ装置から前記第２のサイトのストレージ装置に対して非同期リモートコピーを行うストレージシステムによるデータ復旧可能時刻の推定値の算出方法であって、
前記管理計算機は、
前記第１のサイトのストレージ装置のバッファに滞留しているデータに関し、最新あるいはそれに準ずるデータの識別情報を所定の時間間隔で時刻情報とともに蓄積しておき、
当該蓄積した情報と、所定時刻における、前記滞留している最古あるいはそれに準ずるデータの識別情報、および、前記滞留しているデータ数のうち少なくとも１つの情報と、に基づき、所定時刻を基準にして、前記第２のサイトのストレージ装置に記憶されたデータを用いて復旧することのできる時刻であるデータ復旧可能時刻の推定値を算出し、表示部に表示する
ことを特徴とするデータ復旧可能時刻の推定値の算出方法。
【請求項７】
前記管理計算機は、
前記所定時刻と前記データ復旧可能時刻との差分をデータ損失時間の推定値として算出し、前記表示部に表示することを特徴とする請求項６に記載のデータ復旧可能時刻の推定値の算出方法。
【請求項８】
前記所定の時間間隔は、
予めユーザによって設定された値であることを特徴とする請求項６または請求項７に記載のデータ復旧可能時刻の推定値の算出方法。
【請求項９】
前記管理計算機は、
前記第１のサイトのストレージ装置のバッファに滞留しているデータに関し、最新あるいはそれに準ずるデータの識別情報としてシーケンス番号を蓄積し、
当該蓄積した情報と、所定時刻における最古あるいはそれに準ずるデータのシーケンス番号とに基づいて、所定時刻を基準にして、前記データ復旧可能時刻の推定値を、前記最古あるいはそれに準ずるデータが前記バッファに格納された時刻を推定することで、算出し、前記表示部に表示する
ことを特徴とする請求項６から請求項８までのいずれか１項に記載のデータ復旧可能時刻の推定値の算出方法。
【請求項１０】
前記管理計算機は、
所定時刻を基準にして、前記データ復旧可能時刻の推定値を、そのときの前記最古あるいはそれに準ずるデータが前記バッファに格納された時刻を推定することで、算出し、前記表示部に表示する
ことを特徴とする請求項６から請求項９までのいずれか１項に記載のデータ復旧可能時刻の推定値の算出方法。
【請求項１１】
１台以上のストレージ装置、および、前記１台以上のストレージ装置へデータのリード／ライトを行なう１台以上のホスト計算機を有する第１のサイトと、
１台以上のストレージ装置、および、前記１台以上のストレージ装置へデータのリード／ライトを行なう１台以上のホスト計算機からなる第２のサイトと、
前記第１のサイトのホスト計算機を管理する管理計算機と、を含み、前記第１のサイトのストレージ装置から前記第２のサイトのストレージ装置に対して非同期リモートコピーを行うストレージシステムにおける前記管理計算機であって、
前記第１のサイトのストレージ装置のバッファに滞留しているデータに関し、最新あるいはそれに準ずるデータの識別情報を所定の時間間隔で時刻情報とともに蓄積しておき、
当該蓄積した情報と、所定時刻における、前記滞留している最古あるいはそれに準ずるデータの識別情報、および、前記滞留しているデータ数のうち少なくとも１つの情報と、に基づき、所定時刻を基準にして、前記第２のサイトのストレージ装置に記憶されたデータを用いて復旧することのできる時刻であるデータ復旧可能時刻の推定値を算出し、表示部に表示する
ことを特徴とする管理計算機。
【請求項１２】
前記所定時刻と前記データ復旧可能時刻との差分をデータ損失時間の推定値として算出し、前記表示部に表示することを特徴とする請求項１１に記載の管理計算機。
【請求項１３】
前記所定の時間間隔は、
予めユーザによって設定された値であることを特徴とする請求項１１または請求項１２に記載の管理計算機。
【請求項１４】
前記第１のサイトのストレージ装置のバッファに滞留しているデータに関し、最新あるいはそれに準ずるデータの識別情報としてシーケンス番号を蓄積し、
当該蓄積した情報と、所定時刻における最古あるいはそれに準ずるデータのシーケンス番号とに基づいて、所定時刻を基準にして、前記データ復旧可能時刻の推定値を、前記最古あるいはそれに準ずるデータが前記バッファに格納された時刻を推定することで、算出し、前記表示部に表示する
ことを特徴とする請求項１１から請求項１３までのいずれか１項に記載の管理計算機。
【請求項１５】
所定時刻を基準にして、前記データ復旧可能時刻の推定値を、そのときの前記最古あるいはそれに準ずるデータが前記バッファに格納された時刻を推定することで、算出し、前記表示部に表示する
ことを特徴とする請求項１１から請求項１４までのいずれか１項に記載の管理計算機。
【手続補正２】
【補正対象書類名】明細書
【補正対象項目名】００８８
【補正方法】変更
【補正の内容】
【００８８】
４．２  ＧＵＩ
管理計算機１１００が、データ復旧可能時刻の監視間隔（時間間隔）をユーザに設定させ、その結果を表示するＧＵＩについて、図１０および図１１を用いて説明する。
図１０は、管理計算機１１００がデータ復旧可能時刻の監視間隔をユーザに設定させるために表示装置１１５０に表示する監視条件設定画面１０５００を示す図である。監視条件設定画面１０５００は、メッセージ部１０５１０、監視間隔入力部１０５２０およびボタン１０５３０から構成される。